(57)【要約】      （修正有）【課題】遠方等から見やすい適正な所に本体を取り付けＬＥＤ色彩発光点滅を表示し人間の視覚における残像の為に他者との事故防止に成り、安全安心な自転車用安全表示灯装置を提供する。【解決手段】ＬＥＤと点滅回路と導電性のコイルバネと直流電源に接続される２個の端子とを備え、前記コイルバネは自転車ブレーキワイヤに固定され、前記自転車ブレーキワイヤがブレーキ作動位置の途中、前記端子の一方と接触して直流電源と前記ＬＥＤとを接続し、前記自転車ブレーキワイヤがブレーキ非作動位置のとき、前記他方の端子と接触して直流電源と前記ＬＥＤとを前記点滅回路を介して接触させる回路から成る。【選択図】図１
0003169636.tif 000002
【実用新案登録請求の範囲】
【請求項１】
ＬＥＤと点滅回路と導電性のコイルバネと直流電源に接続される２個の端子とを備え、前記コイルバネは自転車ブレ−キワイヤに固定され、前記自転車ブレ−キワイヤがブレ−キ作動位置の途中、前記端子の一方と接触して直流電源と前記ＬＥＤとを接続し、前記自転車ブレ−キワイヤがブレ−キ非作動位置のとき、前記他方の端子と接触して直流電源と前記ＬＥＤとを前記点滅回路を介して接触させる回路から成ることを特徴とする自転車用安全表示灯装置。
【考案の詳細な説明】
【技術分野】
【０００１】  本考案は自転車に関する自転車用安全表示灯装置に関わるものである。
【背景技術】
【０００２】  従来の自転車用表示灯はスポ−クに取り付けの為に不便である。
【先行技術文献】
【特許文献】
【０００３】
【特許文献１】特許公開２００１−１３０３１７号公報
【特許文献２】特許公開２０００−８５６５６号公報
【特許文献３】特許公開平１０−２４７６４号公報
【考案の概要】
【考案が解決しようとする課題】
【０００４】  しかし、これでは自転車用表示灯は前方後方から見にくいので不便を生じるのである。
【課題を解決するための手段】
【０００５】  ＬＥＤと点滅回路と導電性のコイルバネと直流電源に接続される２個の端子とを備え、前記コイルバネは自転車ブレ−キワイヤに固定され、前記自転車ブレ−キワイヤがブレ−キ作動位置の途中、前記端子の一方と接触して直流電源と前記ＬＥＤとを接続し、前記自転車ブレ−キワイヤがブレ−キ非作動位置のとき、前記他方の端子と接触して直流電源と前記ＬＥＤとを前記点滅回路を介して接触させる回路から成ることを備えた。
【考案の効果】
【０００６】  自転車用安全表示灯装置は押しボタンスイッチ入れの状態で制御手段で多数のＬＥＤ３〜３ｃ色彩発光点滅を行う又、ブレ−キワイヤ操作でブレ−キとＬＥＤ４〜４ｃ点灯し同時にＬＥＤ３〜３ｃ色彩発光点滅は消灯と成る又、遠方等から見やすい適正な所に本体を取り付けＬＥＤ色彩発光点滅を表示し人間の視覚における残像の為に他者との事故防止に成るので安全安心である。
【図面の簡単な説明】
【０００７】
【図１】  本考案に係わる本体１に構成したＬＥＤ３〜３ｃ，４〜４ｃと乾電池２の断面図である。
【図２】  本考案に係わる本体１のＬＥＤ３〜３ｃ，４〜４ｃの正面図である。
【図３】  本考案に係わる本体１の外部操作箱１３と押しボタンスイッチ６の平面図である。
【図４】  本考案に係わる本体１の外部操作箱１３の断面図である。
【図５】  本考案に係わる操作箱１３の縁１３ｇに取り付けた防水材１３ｆと蓋１３ａと電線挿入穴１４の防水材１４ｂと水抜き穴１４ａの断面図である。
【図６】  本考案に係わる操作箱１３に蓋１３ａを取り付けた平面図である。
【図７】  本考案に係わる後輪泥除けカバ−１６に本体１取り付けとブレ−キ付近２０に操作箱１３と押しボタンスイッチ６の取り付けの正面図である。
【考案を実施するための形態】
【０００８】  本考案に関わる自転車用安全表示灯装置は図１，２，３，４，５，６，７に示すように本体１にＬＥＤ３〜３ｃ，４〜４ｃと乾電池２を備え、前記ＬＥＤを光源とし、その電源供給は乾電池２より配線５を通電構成し、自転車ブレ−キワイヤ８正常の状態で押しボタンスイッチ６入れの状態で常時通電５１し、導電性コイルバネ８ｂと端子１０ａ，１０ｂ、５ａを通電その端子５ａからＬＥＤを制御手段でＬＥＤ発光点滅３，３ａ，３ｂ，３ｃを設けた。
【０００９】  ブレ−キワイヤ８操作を行うとブレ−キワイヤ８が矢印８ｅの方向に移動し端子１０ａと端子１０ｂの接触が切り替わりＬＥＤ発光点滅３，３ａ，３ｂ，３ｃは消灯と成ると同時に導電性コイルバネ８ｂも移動し端子１０に接触通電５ｂしＬＥＤ点灯４，４ａ，４ｂ，４ｃと成る。
【００１０】  本体１、操作箱１３、押しボタンスイッチ６間の配線口５，５１，５ａ，５ｂは防水材を設け雨天時の使用に際しても雨水付着することがないがブレ−キワイヤ８が激しく使用の為に操作箱１３の下端に水抜き１４ａを設けた。
【００１１】  操作箱１３の取り付けはブレ−キ２０付近に取り付け又、本体１と操作箱１３間の配線は泥除けカバ−１６の裏側に設け、押しボタンスイッチ６の取り付けはハンドル２５に設けその押しボタンスイッチ６と操作箱１３間の配線５，５１はトップチュ−ブ２３に設けた、又、本体１を自転車の後方の遠方から見やすい適正な所の泥除けカバ−１６に取り付けた。
【符号の説明】
【００１２】      １  本体にＬＥＤ制御乾電池                １ａ  本体カバ−
１ｂ  本体とカバ−のねじ込みと防水材
１ｃ  ＬＥＤ支持板と乾電池の取り出し口
１ｄ  ＬＥＤ支持板取り付け取り外しビス    １ｅ  丁番（１ｄと関連）
１ｆ  本体に防水材        １ｇ  本体１と泥除けカバ−取り付けビス
１ｈ  本体１と泥除けカバ−取り付けビス
２  乾電池          ３  ＬＥＤ        ３ａ  ＬＥＤ
３ｂ  ＬＥＤ        ３ｃ  ＬＥＤ          ４  ＬＥＤ
４ａ  ＬＥＤ        ４ｂ  ＬＥＤ        ４ｃ  ＬＥＤ
５  配線          ５１  配線          ５ａ  通電と配線
５ｂ  通電と配線      ６  押しボタンスイッチ
７  絶縁板        ７ａ  絶縁板          ８  ブレ−キワイヤ
８ａ  絶縁管        ８ｂ  導電性コイルバネ  ８ｃ  絶縁管端防水材
８ｄ  ブレ−キワイヤ挿入穴防水材        ８ｅ  矢印
９  絶縁板        ９ａ  絶縁板        １０  端子
１０ａ  端子        １０ｂ  端子          １１  固定ビス
１１ａ  固定ビス      １２  固定ビス（防水材）
１２ａ  固定ビス（防水材）              １２ｂ  固定ビス（防水材）
１２ｃ  固定ビス（防水材）                １３  操作箱
１３ａ  蓋          １３ｂ  雌ネジ      １３ｃ  雌ネジ
１３ｄ  雌ネジ      １３ｅ  雌ネジ      １３ｆ  防水材
１３ｇ  縁        １３ｂｂ  雄ネジ    １３ｃｃ  雄ネジ
１３ｄｄ  雄ネジ    １３ｅｅ  雄ネジ        １４  電線挿入穴
１４ａ  水抜き穴    １４ｂ  防水材        １５  車輪
１５ａ  車軸        １５ｂ  スポ−ク    １５ｃ  スポ−ク
１５ｄ  スポ−ク      １６  泥除けカバ−
１６ａ  泥除けカバ−支持棒              １６ｂ  泥除けカバ−支持棒
１６ｃ  泥除けカバ−支持棒                １７  サドル
１８  シ−トステイ  １９  チェ−ンステイ  ２０  ブレ−キ
２１  ペタル        ２２  チェ−ンリング
２３  トップチュ−ブ  ２４  ブレ−キレバ−  ２５  ハンドル
【図１】
0003169636.tif 000003
【図２】
0003169636.tif 000004
【図３】
0003169636.tif 000005
【図４】
0003169636.tif 000006
【図５】
0003169636.tif 000007
【図６】
0003169636.tif 000008
【図７】
0003169636.tif 000009